(57)【要約】      （修正有）【課題】マスク本体の裏側に不織布等を挿入し、はめ込むことにより、抗ウィルス対策に秀でたマスクを提供する。【解決手段】鼻及び口を覆うマスク本体１と、マスク本体１の側面に設けたゴムの伸縮部材２とからなり、マスク本体１の裏面の上下に不織布を挿入することができる折り返し部３を設けた。【選択図】図１
0003227485.tif 000002
【実用新案登録請求の範囲】
【請求項１】
鼻及び口を覆うマスク本体と、前記マスク本体の側面に設けたゴム等の伸縮部材とからなり、前記マスク本体の裏面の上下に不織布等を挿入することができる折り返し部を設けたことを特徴とするマスク。
【請求項２】
前記伸縮部材として、ウーリーナイロンを用いたことを特徴とする請求項１記載のマスク。
【考案の詳細な説明】
【技術分野】
【０００１】
本考案は、マスク本体の裏面に不織布、ティッシュペーパー、キッチンペーパー等を挿入することができる衛生的なマスクに関するものである。
【０００２】
また、マスク本体については、UV殺菌（UV-C殺菌灯）又はオートクレーブ滅菌（高圧蒸気滅菌）により処理したマスクを用いると共に、マスク本体の裏面に不織布等の交換できる素材を挿入することができるようにしたことにより、特に、女性が使用する場合に、マスクの裏面に口紅やファンデーションがついて困ることを解消するマスクに関するものである。
【背景技術】
【０００３】
従来、マスクは一体型となっており、都度マスク全体を交換する必要があった。また、マスクの裏面にガーゼ等の交換部材を挟み込み使用することはあったが、装着中にずれてしまうことや外れてしまうことがあった。
【０００４】
そこで、不織布等の交換部材を容易にはめ込むことができ、はめ込んだ不織布等がずれることもないマスクを提供するものである。
【先行技術文献】
【特許文献】
【０００５】
【特許文献１】実用新案登録第３０６６４６５号公報
【０００６】
この考案は、マスク本体１の矩形折り畳み部分４に形成されるポケット部５に、芳香剤１１を含浸させた通気性を有する不織布１３を交換可能に装入するようにした構成であるが、ポケット部があることから、不織布１３を交換しても、ポケット部の内側表面の交換ができるわけではない。
【考案の概要】
【考案が解決しようとする課題】
【０００７】
従来、マスクは一体型となっているものが多く、都度マスク全体を交換する必要があり、経済的に問題があった。また、マスク本体で抗ウィルス対策を施したマスクとすると、マスク本体が大きくなり、また、かさばる傾向にあった。更に、マスク本体の全体を交換することを躊躇する傾向にもあり、ウィルス対策としては不十分であった。
【０００８】
そこで、不織布等の交換部材を容易にはめ込むことができ、はめ込んだ不織布等がずれることもないマスクを提供するものである。更に、不織布等を容易に交換することで、ウィルスが付着している可能性のある不織布のみを容易に交換することができるようにもなるマスクが望まれている。
【０００９】
本考案は、上記のような要望を叶えるため、マスク本体の裏側に不織布等を挿入し、はめ込むことにより、抗ウィルス対策に秀でたマスクを提供しようとするものである。
【課題を解決するための手段】
【００１０】
本考案の第１考案では、鼻及び口を覆うマスク本体と、マスク本体の側面に設けたゴム等の伸縮部材とからなり、マスク本体の裏面の上下に不織布等を挿入することができる折り返し部を設けたマスクとした。
【００１１】
また、第２考案として、ゴム等の伸縮部材として、ウーリーナイロンを用いたマスクとした。
【考案の効果】
【００１２】
本考案に係るマスクは、マスクの裏側に不織布等の挿入しはめ込むことができる折り返し部を設けたことにより、常に衛生的なマスクとして使用することができるものである。
【００１３】
また、マスクの裏側に挿入する不織布等を交換できるようにしているため、例えば、女性が口紅、ファンデーション等を付けている場合であっても、はめ込んでいる不織布等を交換することで、新しい不織布等として、汚れ等を気にする必要もなくなる機能的なマスクを提供することができる。
【００１４】
また、マスクを顔に装着するときに、折り返し部の上部を引き上げて、鼻に引っ掛けることにより、顔に密着したマスクとすることができると共に、マスクがずれにくく、また、顔に密着してマスクを装着できるので、眼鏡等を装着した場合であっても、眼鏡が曇ることもなく機能的なマスクを提供することができるものである。
【００１５】
また、マスク本体をUV-C殺菌又はオートクレーブ滅菌（高圧蒸気滅菌）することにより、殺菌効果を有する機能的なマスクを提供できるものである。
【図面の簡単な説明】
【００１６】
【図１】本考案の実施例のマスクの裏面から見た説明図
【図２】本考案の実施例のマスクに不織布等を挿入する状態を示す説明図
【図３】本考案の実施例のマスクに不織布等を挿入している状態を示す説明図
【図４】本考案の実施例のマスクを顔に装着した状態を示す説明図
【考案を実施するための最良の形態】
【００１７】
本考案の実施例を示す。
【実施例１】
【００１８】
図１は、本考案の実施例のマスクの裏面から見た説明図である。
図１において、１はマスク本体である。マスク本体１は、綿等の素材により作製されるものである。また、マスク本体の形状、大きさ、デザイン等は、装着者に合わせて適宜変更し得る。マスク本体１をUV-C殺菌又はオートクレーブ滅菌（高圧蒸気滅菌）することにより、殺菌効果を有する機能的なマスクとすることができる。２は、伸縮部材であり、マスク本体の側面に設け、ゴム等の伸縮部材からなる。また、ウーリーナイロンを用いることもできる。
３は、折り返し部であり、マスク本体１の裏面の上下に設けられ、不織布等を挿入することができるようになっている。
【００１９】
図２は、本考案の実施例のマスクに不織布等を挿入する状態を示す説明図、図３は、本考案の実施例のマスクに不織布等を挿入している状態を示す説明図である。
４は、不織布等を示している。マスク本体１の裏面に不織布等４を挿入し、折り返し部３にて支持するようになっている。不織布等４を新しいものに交換することで、抗菌対策を図ることができるようになっている。
【００２０】
不織布等４には、不織布、ペーパー類、ガーゼ、等の素材によるものも含まれる。不織布等４は、マスク本体１の裏面に挿入できる大きさであればよく、素材については、花粉、ウィルス、等に対応して適宜選択して使用することができるものである。
【００２１】
図４は、本考案の実施例のマスクを顔に装着した状態を示す説明図である。
マスク本体１を顔の鼻及び口を覆うように装着し、伸縮部材２を耳にかけると共に、マスク本体１の裏面の折り返し部３の上部中央部５を引き上げることによって、鼻に引っ掛けることができるようになっている。このように、鼻に上部中央部５を引っ掛けることにより、鼻周辺の密着度が増し、ずれることもなく、また、眼鏡を装着している場合であっても、眼鏡が曇ることがなくなる等の効果を有するものである。
【産業上の利用可能性】
【００２２】
本考案は、鼻及び口を覆うマスク本体の裏面の上下に不織布等を挿入することができる折り返し部を設けたマスクである。
【符号の説明】
【００２３】
１  マスク本体
２  伸縮部材
３  折り返し部
４  不織布等
５  折り返し部の上部中央部
【図１】
0003227485.tif 000003
【図２】
0003227485.tif 000004
【図３】
0003227485.tif 000005
【図４】
0003227485.tif 000006
【手続補正書】
【提出日】令和2年5月21日(2020.5.21)
【手続補正１】
【補正対象書類名】実用新案登録請求の範囲
【補正対象項目名】全文
【補正方法】変更
【補正の内容】
【実用新案登録請求の範囲】
【請求項１】
鼻及び口を覆うマスク本体と、前記マスク本体の側面に設けたゴムの伸縮部材とからなり、前記マスク本体の裏面の上下に不織布を挿入することができる折り返し部を設けたことを特徴とするマスク。
【請求項２】
前記伸縮部材として、ウーリーナイロンを用いたことを特徴とする請求項１記載のマスク。
【手続補正２】
【補正対象書類名】明細書
【補正対象項目名】００１０
【補正方法】変更
【補正の内容】
【００１０】
本考案の第１考案では、鼻及び口を覆うマスク本体と、マスク本体の側面に設けたゴムの伸縮部材とからなり、マスク本体の裏面の上下に不織布を挿入することができる折り返し部を設けたマスクとした。